(57)【特許請求の範囲】
【請求項１】
透過型捕捉構造物において、捕捉用ネットを構成する複数のロープ材を交点で連結する、ロープ連結具であって、
２枚の支圧プレートと、複数の締結具と、を備え、
前記支圧プレートはそれぞれ、プレート本体と、前記プレート本体の底面を横断する１本の第１溝と、前記プレート本体の底面の外縁から底面の中心に向かって、前記第１溝と直交する向きに延在し、前記プレート本体の底面の中心で分断される２本の第２溝と、前記プレート本体の両面を貫通する複数の挿通孔と、を有し、
前記第１溝は、前記プレート本体の底面の外縁から中心に向かって深くなり、
前記第２溝は、前記プレート本体の底面の外縁から中心に向かって浅くなり、
前記２枚の支圧プレートの底面を、相対的に９０度回転させた状態で対向させることで、対向する前記第１溝と前記第２溝との間に、前記ロープ材を内周面で面状に支圧可能な面状支圧孔を構成したことを特徴とする、
ロープ連結具。
【請求項２】
前記第１溝及び／又は前記第２溝の内周面に、突起状、溝状、又は段差状の滑り止め手段を設けたことを特徴とする、請求項１に記載のロープ連結具。
【請求項３】
前記第１溝が前記プレート本体の外縁と接する縁部を、曲面で構成したことを特徴とする、請求項１又は２に記載のロープ連結具。
【請求項４】
前記複数の挿通孔が、前記第１溝及び前記第２溝によって区画した４つの区域にそれぞれ設けた４つの挿通孔であることを特徴とする、請求項１乃至３のいずれか一項に記載のロープ連結具。
【請求項５】
前記締結具がボルトとナットの組合せからなることを特徴とする、請求項１乃至４のいずれか一項に記載のロープ連結具。
【発明の詳細な説明】
【技術分野】
【０００１】
本発明は、ロープ連結具に関し、特に透過型捕捉構造物において、捕捉用ネットを構成するロープ材を交点で連結する、捕捉構造物のロープ連結具に関する。
【背景技術】
【０００２】
砂防堰堤等の透過型捕捉構造物では、山間の渓谷や河川の間に、土石流による流下物を捕捉するための捕捉用ネットを横架する。捕捉用ネットはワイヤロープ等のロープ材を連結具によって縦横に連結して構成する。
特許文献１には、縦横に連続するロープ材を、凹状の溝を有する平板と２本のＵ字ボルトの組合せによって交点で挟み込んで連結する連結具が開示されている。
特許文献２には、縦横に配列した複数の短ロープを、端部のループに通した４本の係留ピンで連結する連結具が開示されている。
【先行技術文献】
【特許文献】
【０００３】
【特許文献１】特開２００９−２９９３２１号公報
【特許文献２】特許第６５７９５５３号公報
【発明の概要】
【発明が解決しようとする課題】
【０００４】
従来技術には以下のような問題点がある。
＜１＞ロープ材の滑動。
特許文献１の技術は、縦横のロープ材が交点のみで接する点接触となる。平板を支圧してロープ材を圧縮することで部分的に面接触させることができるが、依然として摩擦面積は僅かであるため、連結後にもロープ材が滑動しやすい。
＜２＞ロープ材の強度低下。
特許文献１の技術は、平板を支圧することによってロープ材の交点に圧縮荷重が集中するためロープ材の断面が潰れやすい。ロープ材が潰れると断面積が小さくなるため、ロープ材の設計上の断面強度を発揮することができなくなる。
＜３＞施工性と材料コスト。
特許文献２の技術は、全ての短ロープを端部で連結するため、連結箇所が多く施工性が低い。また、端部をループ加工した短ロープを多数本使用するため、部品数が多く材料コストが嵩む。
【０００５】
本発明の目的は、以上のような問題点を解決できる、捕捉構造物のロープ連結具を提供することにある。
【課題を解決するための手段】
【０００６】
本発明の捕捉構造物のロープ連結具は、２枚の支圧プレートと、複数の締結具と、を備え、支圧プレートはそれぞれ、プレート本体と、プレート本体の底面を横断する１本の第１溝と、プレート本体の底面の外縁から底面の中心に向かって、第１溝と直交する向きに延在し、プレート本体の底面の中心で分断される２本の第２溝と、プレート本体の両面を貫通する複数の挿通孔と、を有し、第１溝は、プレート本体の底面の外縁から中心に向かって深くなり、第２溝は、プレート本体の底面の外縁から中心に向かって浅くなり、２枚の支圧プレートの底面を、相対的に９０度回転させた状態で対向させることで、対向する第１溝と第２溝との間に、ロープ材を内周面で面状に支圧可能な面状支圧孔を構成したことを特徴とする。
【０００７】
本発明の捕捉構造物のロープ連結具は、第１溝及び／又は第２溝の内周面に、突起状、溝状、又は段差状の滑り止め手段を設けてもよい。
【０００８】
本発明の捕捉構造物のロープ連結具は、第１溝がプレート本体の外縁と接する縁部を曲面で構成してもよい。
【０００９】
本発明の捕捉構造物のロープ連結具は、複数の挿通孔が、第１溝及び第２溝によって区画した４つの区域にそれぞれ設けた４つの挿通孔であってもよい。
【００１０】
本発明の捕捉構造物のロープ連結具は、締結具がボルトとナットの組合せからなってもよい。
【発明の効果】
【００１１】
本発明の捕捉構造物のロープ連結具は、以上の構成を備えるため、次の効果のうち少なくとも一つを備える。
＜１＞交差する２本のロープ材を、交点における点接触ではなく、湾曲した面状支圧孔によって面状に挟持する。このため、ロープ材の摩擦面積が広くロープ材が滑動しにくい。
＜２＞ロープ材を周面で均等に支圧するため断面が潰れにくい。このため、ロープ材本来の断面強度を発揮することができる。
＜３＞ロープ材の交点を両側から挟んでボルト締結するだけで連結できるため、施工性が極めて高い。
＜４＞連続した１本のロープ材を複数箇所で連結できるため、部品数が少なく材料コストが安い。
【図面の簡単な説明】
【００１２】
【図１】本発明の捕捉構造物のロープ連結具の説明図。
【図２】透過型捕捉構造物の説明図。
【図３】（ａ）は支圧プレートの斜視図。（ｂ）は（ａ）の面ｂに沿った支圧プレートの断面図。
【発明を実施するための形態】
【００１３】
以下、図面を参照しながら本発明の捕捉構造物のロープ連結具について詳細に説明する。
【実施例１】
【００１４】
[ロープ連結具]
＜１＞全体の構成（図１）。
本発明のロープ連結具１は、主に砂防堰堤等の透過型捕捉構造物Ａにおいて、捕捉用ネットを構成する複数のロープ材Ｂを交点で連結する部材である。
ロープ連結具１は、２枚の支圧プレート１０と、２枚の支圧プレート１０を締結する複数の締結具２０と、を少なくとも備える。締結具２０は、本例では４組のボルト２１とナット２２の組合せとする。
ロープ連結具１は、底面を対向させた２枚の支圧プレート１０によって、第１溝１２と第２溝１３の間に、ロープ材Ｂを内周面で面状に支圧する面状支圧孔３０を構成可能な点に一つの特徴を備える。
【００１５】
＜１．１＞透過型捕捉構造物（図２）。
透過型捕捉構造物Ａは、例えば、渓床に設けた基礎上に間隔を隔てて立設した複数の剛構造体の間、及び剛構造体と渓岸の間に捕捉用ネットを展設してなる。
捕捉用ネットは、複数のロープ材Ｂをネット状に編成してなる。本例ではロープ材Ｂとして金属製のワイヤロープを採用する。
本例では、複数のロープ材Ｂを剛構造体の間に横架し、横架したロープ材Ｂを複数のロープ材Ｂで縦に連結して、透過部の捕捉用ネットを構成し、縦横のロープ材Ｂの交点をロープ連結具１によって連結する。
なお、透過型捕捉構造物Ａの構造は上記に限らず、本発明のロープ連結具１は、他の構造の透過型捕捉構造物Ａにも適用できる。また、ロープ連結具１の設置個所も透過部の捕捉用ネットに限らず、袖部の捕捉用ネットにも適用できる。
【００１６】
＜２＞支圧プレート（図１）。
支圧プレート１０は、ロープ材Ｂの交点を挟み込んで支圧する部材である。
支圧プレート１０は、プレート本体１１と、プレート本体１１の底面に形成した１本の第１溝１２と、プレート本体１１の底面に第１溝１２と直交する向きに形成した２本の第２溝１３と、プレート本体１１の両面を貫通する複数の挿通孔１４と、を少なくとも備える。
本例ではプレート本体１１として、平面視円形の鋼製プレートを採用する。ただしプレート本体１１の素材や形状はこれに限らず、例えば平面視矩形、平面視八角形、その他の多角形状を採用してもよい。
本例では挿通孔１４を４つ設ける。挿通孔１４の位置は、プレート本体１１の底面視において、第１溝１２及び第２溝１３によって十字状に区分した４つの区域の中心付近にそれぞれ１つずつ設ける。
【００１７】
＜２．１＞第１溝。
第１溝１２は、他の支圧プレート１０の第２溝１３と組み合わせて、面状支圧孔３０を構成する溝である。
第１溝１２は、プレート本体１１の中心を通って、プレート本体１１の底面を横断するように設ける。
第１溝１２は、プレート本体１１の底面の外縁から中心に向かって深くなる。
透過型捕捉構造物Ａの供用時、第１溝１２がプレート本体１１の外縁と接する縁部には、ロープ材Ｂの引っ張りによる応力が集中する。そこで本例では、応力集中によるロープ材Ｂの損傷を避けるため、第１溝１２とプレート本体１１の外縁との縁部を曲面で構成する（不図示）。
また本例では、第１溝１２の内周面に滑り止め手段１５を形成する。ただし滑り止め手段１５は必須の構成要素ではない。
【００１８】
＜２．２＞第２溝。
第２溝１３は、他の支圧プレート１０の第１溝１２と組み合わせて、面状支圧孔３０を構成する溝である。
第２溝１３は、プレート本体１１の外縁から中心に向かって、第１溝１２と直交する向きに設ける。
第２溝１３は、プレート本体１１の底面の外縁から中心に向かって浅くなり、プレート本体１１の中心で２本に分断される。
第２溝１３の形状及びプレート本体１１の底面に対する傾斜角は、第１溝１２の形状及びプレートの本体１１の底面に対する傾斜角に対応させる。すなわち、第１溝１２と第２溝１３との組み合わせによって、後述する面状支圧孔３０が、ロープ材Ｂの径に対応した単一径となるように構成するのが望ましい。
【００１９】
＜２．３＞滑り止め手段。
滑り止め手段１５は、ロープ材Ｂの面状支圧孔３０内における滑りを防止するための手段である。
本例では滑り止め手段１５として、第１溝１２の内周面に周方向に沿って形成した複数の突起を採用する。
滑り止め手段１５によって、支圧プレート１０の支圧に係る摩擦抵抗力を高めて、ロープ材Ｂの滑動を抑止することができる。
滑り止め手段１５の構造は突起に限らず、第１溝１２の内周面に沿って設けた溝又は段差であってもよい。また、第１溝１２に加えて第２溝１３にも設けてもよい。あるいは第１溝１２に設けず、第２溝１３にのみ設けてもよい。
【００２０】
＜３＞面状支圧孔（図３）。
面状支圧孔３０は、交差するロープ材Ｂの交点への応力集中を回避しつつ、ロープ材Ｂを面状に支圧する孔である。
面状支圧孔３０は、２枚の支圧プレート１０の底面を対向させることで、第１溝１２と第２溝１３の間に構成する。すなわち、第１溝１２の内面と第２溝１３の内面とによって、第１溝１２の底面側に湾曲した筒状の空間である面状支圧孔３０が構成される。
直交する２本の面状支圧孔３０は、交点で僅かに連通する。
本発明のロープ連結具１は、２枚の支圧プレート１０内を湾曲しながら直交する２本の面状支圧孔３０で、ロープ材Ｂを面状に支圧して挟持することによって、直交する２本のロープ材Ｂを、交点において接触させることなく（又は僅かしか接触させることなく）確実に連結することができる。
【００２１】
＜４＞ロープ材の連結。
まず、交差する２本のロープ材Ｂの交点を、２枚の支圧プレート１０で両側から挟む。
詳細には、例えばロープ材Ｂの交点の前面側に支圧プレート１０の底面を当接し、前面側のロープ材Ｂを第１溝１２内に嵌め込む。続いて、ロープ材Ｂの交点の背面側に、前面側の支圧プレート１０に対して底面を９０度回転させた支圧プレート１０の底面を当接し、背面側のロープ材Ｂを第１溝１２内に嵌め込む。
これによって、対向する第１溝１２と第２溝１３の間に、面状支圧孔３０が構成され、各ロープ材Ｂが面状支圧孔３０内に保持される。
続いて、２枚の支圧プレート１０を、締結具２０で締結する。
詳細には、例えば２枚の支圧プレート１０の対応する挿通孔１４内にボルト２１を連通し、先端にナット２２螺着して締結する。
以上の簡易な手順によって、直交する２本のロープ材Ｂを交点で確実に連結することができる。
【符号の説明】
【００２２】
１  ロープ連結具
１０  支圧プレート
１１  プレート本体
１２  第１溝
１３  第２溝
１４  挿通孔
１５  滑り止め手段
２０  締結具
２１  ボルト
２２  ナット
３０  面状支圧孔
Ａ  透過型捕捉構造物
Ｂ  ロープ材
【要約】
【課題】直交する２本のロープ材を滑動や強度低下を防ぎつつ確実に連結可能な捕捉構造物のロープ連結具を提供すること。
【解決手段】本発明の捕捉構造物のロープ連結具１は、２枚の支圧プレート１０と複数の締結具２０とを備え、支圧プレート１０はそれぞれプレート本体１１と、プレート本体１１の底面を横断する１本の第１溝１２とプレート本体１１の底面の外縁から底面の中心に向かって第１溝１１と直交する向きに延在しプレート本体１１の底面の中心で分断される２本の第２溝１２とプレート本体１１の両面を貫通する複数の挿通孔１４とを有し、第１溝１２はプレート本体１１の底面の外縁から中心に向かって深くなり、第２溝１２はプレート本体１１の底面の外縁から中心に向かって浅くなり、２枚の支圧プレート１０の底面を相対的に９０度回転させた状態で対向させることで対向する第１溝１２と第２溝１３との間にロープ材Ｂを内周面で面状に支圧可能な面状支圧孔３０を構成したことを特徴とする。
【選択図】図１【図１】
0006870880.tif 000002
【図２】
0006870880.tif 000003
【図３】
0006870880.tif 000004